(57)【要約】【課題】鉄塔の鉄骨脚部の位置決め作業を簡略化することができる鉄塔基礎構造及びその構築方法を提供する。【解決手段】脚材１８と一体的に設けられた内側ピース２４がプレキャストコンクリート製とされていると共に、内側ピース２４が均された杭２２の上面２２Ａ１上に配置されているため、内側ピース２４を上面２２Ａ１上に配置することで脚材１８の位置決めを行うことができる。【選択図】図１
2020094457.tif 000002
【特許請求の範囲】
【請求項１】
鉄塔の鉄骨脚部の一部を構成する脚材と、
前記脚材の一端部と一体的に設けられると共に、均された設置面上に配置されたプレキャストコンクリート製の内側ピースと、
を有する鉄塔基礎構造。
【請求項２】
前記設置面は、設置地盤に埋設された杭における杭頭処理が施された杭頭部の上面とされている、
請求項１に記載の鉄塔基礎構造。
【請求項３】
前記内側ピースの外周側に当該内側ピースの外周面と間隔をあけて配置されると共に、当該内側ピース側からの圧力を支持可能な外側ピースと、
前記内側ピースと前記外側ピースとの間に介在し、かつ当該内側ピース及び当該外側ピースに密着状態で設けられたコンクリート製の介在部と、
をさらに有する、
請求項１又は請求項２に記載の鉄塔基礎構造。
【請求項４】
前記外周面と前記外側ピースの内周面との間に互いの押圧力を支持可能に配置された複数のジャッキをさらに備える、
請求項３に記載の鉄塔基礎構造。
【請求項５】
前記外側ピースは、プレキャストコンクリート製とされている、
請求項３又は請求項４に記載の鉄塔基礎構造。
【請求項６】
前記外周面及び前記外側ピースの内周面には、前記コンクリートが充填された凹部が設けられている、
請求項５に記載の鉄塔基礎構造。
【請求項７】
前記脚材は、前記内側ピースから露出されて鉄塔上方側に延びる延在部と、当該延在部における当該内側ピース側の端部に設けられると共に内側ピースの下面側に露出された平板状の基部と、を含んで構成されている、
請求項１〜請求項６の何れか１項に記載の鉄塔基礎構造。
【請求項８】
平らな設置面を形成し、
鉄塔の鉄骨脚部の一部を構成する脚材の一端部と一体に設けられたプレキャストコンクリート製の内側ピースを前記設置面に載置し、
前記内側ピースの外周側に当該内側ピースの外周面と間隔をあけて内周側からの圧力を支持可能な外側ピースを配置し、
前記内側ピースと前記外側ピースとの間に生コンクリートを打設する、
鉄塔基礎構造の構築方法。
【請求項９】
前記内側ピースと前記外側ピースとの間に生コンクリートを打設する前に複数のジャッキを当該間に配置して当該内側ピースと当該外側ピースとの位置決めを行う、
請求項８に記載の鉄塔基礎構造の構築方法。
【発明の詳細な説明】
【技術分野】
【０００１】
本発明は、鉄塔基礎構造及びその構築方法に関する。
【背景技術】
【０００２】
下記特許文献１には、鉄塔基礎の構築方法に関する発明が記載されている。この鉄塔基礎の構築方法では、ケーシングを設置した状態で掘削を行った後に、掘削孔に一体組鉄筋籠を挿入して鉄塔の主脚柱（鉄骨脚部）の据え付け高さまでコンクリートを打設している。
【０００３】
また、一体組鉄筋籠は、脚柱補強鉄筋が杭体用鉄筋籠に組み付けられると共に脚柱補強鉄筋の外周面にメッシュ型枠が巻き付けられて構成されている。そして、下記先行技術では、脚柱補強鉄筋の上部に上蓋を設置し、脚柱補強鉄筋とケーシングとの間の空間にコンクリートを打設してからケーシングを撤去し、上蓋を取り除いて脚柱補強鉄筋の空間内に主脚柱の基部を据え付け、脚柱補強鉄筋内の空間にコンクリートを打設している。
【先行技術文献】
【特許文献】
【０００４】
【特許文献１】特開２０１０−２０３１２７号公報
【発明の概要】
【発明が解決しようとする課題】
【０００５】
しかしながら、上記先行技術では、主脚柱を位置決めするときに、据付調整台やサポート材等を用いるため、主脚柱の位置決め作業が煩雑なものとなる。
【０００６】
本発明は上記事実を考慮し、鉄塔の鉄骨脚部の位置決め作業を簡略化することができる鉄塔基礎構造及びその構築方法を提供することが目的である。
【課題を解決するための手段】
【０００７】
第１の態様に係る鉄塔基礎構造は、鉄塔の鉄骨脚部の一部を構成する脚材と、前記脚材の一端部と一体的に設けられると共に、均された設置面上に配置されたプレキャストコンクリート製の内側ピースと、を有している。
【０００８】
第１の態様に係る構造物の鉄塔基礎構造によれば、内側ピースが、鉄塔の鉄骨脚部の一部を構成する脚材の一端部と一体的に設けられている。
【０００９】
ところで、鉄骨脚部の設置時において、脚材を位置決めした後に当該脚材の周辺にコンクリートを打設するような構成を採用する場合、コンクリートの打設時やコンクリートの養生時において脚材の位置を一定にしておく必要があるため、脚材の位置決め作業が煩雑なものとなる。
【００１０】
ここで、本態様では、内側ピースがプレキャストコンクリート製とされていると共に、当該内側ピースが均された設置面上に配置されているため、内側ピースを設置面上に配置することで脚材の位置決めを行うことができる。
【００１１】
第２の態様に係る鉄塔基礎構造は、第１の態様に係る鉄塔基礎構造において、前記設置面は、設置地盤に埋設された杭における杭頭処理が施された杭頭部の上面とされている。
【００１２】
第２の態様に係る鉄塔基礎構造によれば、鉄塔の設置地盤に杭が埋設されており、当該杭の杭頭部には、杭頭処理が施されている。そして、杭頭部の上面には、内側ピースが配置されている。このため、設置地盤が不安定な地盤であっても、安定した状態で鉄骨脚部を支持することができる。
【００１３】
第３の態様に係る鉄塔基礎構造は、第１の態様又は第２の態様に係る鉄塔基礎構造において、前記内側ピースの外周側に当該内側ピースの外周面と間隔をあけて配置されると共に、当該内側ピース側からの圧力を支持可能な外側ピースと、前記内側ピースと前記外側ピースとの間に介在し、かつ当該内側ピース及び当該外側ピースに密着状態で設けられたコンクリート製の介在部と、をさらに有している。
【００１４】
第３の態様に係る鉄塔基礎構造によれば、内側ピースの外周側には、当該内側ピースの外周面と間隔をあけて外側ピースが配置されている。そして、内側ピースと外側ピースとの間には、当該内側ピース及び当該外側ピースと密着状態で設けられたコンクリート製の介在部が介在している。
【００１５】
このため、鉄塔に懸架された電線等に起因する引き上げ荷重等が脚材を介して内側ピースに伝達すると、内側ピース側から外側ピース側に介在部を介して圧力が作用することとなる。そして、この圧力は、外側ピースによって支持することができるため、本態様では、鉄塔を安定した状態で支持することができる。
【００１６】
第４の態様に係る鉄塔基礎構造は、第３の態様に係る鉄塔基礎構造において、前記外周面と前記外側ピースの内周面との間に互いの押圧力を支持可能に配置された複数のジャッキをさらに備えている。
【００１７】
第４の態様に係る鉄塔基礎構造によれば、複数のジャッキによって内側ピースと外側ピースとの相対移動を規制して、脚材の位置決めの精度をより高めることができる。
【００１８】
第５の態様に係る鉄塔基礎構造は、第３の態様又は第４の態様に係る鉄塔基礎構造において、前記外側ピースは、プレキャストコンクリート製とされている。
【００１９】
第５の態様に係る鉄塔基礎構造によれば、外側ピースがプレキャストコンクリート製とされているため、外側ピースを鋼材等で構成するような構成に比し、外側ピースの腐食対策に係る作業を省略し、外側ピースの設置作業を簡略化することができる。
【００２０】
第６の態様に係る鉄塔基礎構造は、第５の態様に係る鉄塔基礎構造において、前記外周面及び前記外側ピースの内周面には、前記コンクリートが充填された凹部が設けられている。
【００２１】
第６の態様に係る鉄塔基礎構造によれば、内側ピースの外周面及び外側ピースの内周面に介在部を構成するコンクリートが充填された凹部が設けられている。つまり、介在部は、内側ピース側に突出した突起部と外側ピース側に突出した突起部とが設けられた状態となっている。このため、内側ピースと外側ピースとが相対移動しようとするときに介在部に作用するせん断力を、当該介在部に設けられたこれらの突起部によって支持することができる。
【００２２】
第７の態様に係る鉄塔基礎構造は、第１の態様〜第６の態様の何れかに係る鉄塔基礎構造において、前記脚材は、前記内側ピースから露出されて鉄塔上方側に延びる延在部と、当該延在部における当該内側ピース側の端部に設けられると共に内側ピースの下面側に露出された平板状の基部と、を含んで構成されている。
【００２３】
第７の態様に係る鉄塔基礎構造によれば、脚材が、延在部と基部とを含んで構成されており、延在部は、内側ピースから露出されて鉄塔上方側に延びており、鉄塔の鉄骨脚部の下端部側の部分を構成している。一方、基部は、平板状とされており、延在部の内側ピース側の端部に設けられると共に、内側ピースの下面側に露出されている。このため、脚材の設置位置と鉄塔の構成との相関関係を予め延在部と基部との位置関係に反映させておけば、設置面の所定の位置に脚材を配置する作業のみによって当該脚材の位置決めを完了することができる。
【００２４】
第８の態様に係る鉄塔基礎構造の構築方法は、平らな設置面を形成し、鉄塔の鉄骨脚部の一部を構成する脚材の一端部と一体に設けられたプレキャストコンクリート製の内側ピースを前記設置面に載置し、前記内側ピースの外周側に当該内側ピースの外周面と間隔をあけて内周側からの圧力を支持可能な外側ピースを配置し、前記内側ピースと前記外側ピースとの間に生コンクリートを打設する。
【００２５】
第８の態様に係る鉄塔基礎構造の構築方法によれば、平らな設置面を形成し、鉄塔の鉄骨脚部の一部を構成する脚材の一端部と一体に設けられた内側ピースを当該設置面に載置する。そして、内側ピースの外周側に当該内側ピースの外周面と間隔をあけて内周側からの圧力を支持可能な外側ピースを配置し、内側ピースと外側ピースとの間に生コンクリートを打設する。
【００２６】
このため、本態様では、内側ピース側から外側ピース側に作用する圧力を外側ピースによって支持することができるため、鉄塔を安定した状態で支持することができる。
【００２７】
ところで、内側ピースを脚材の周辺に打設されたコンクリートで構成する場合、コンクリートの打設時やコンクリートの養生時において脚材の位置を一定にしておく必要があるため、脚材の位置決め作業が煩雑なものとなる。
【００２８】
ここで、本態様では、内側ピースがプレキャストコンクリート製とされているため、内側ピースを設置面上に配置することで脚材の位置決めを行うことができる。
【００２９】
第９の態様に係る鉄塔基礎構造の構築方法は、第８の態様に係る鉄塔基礎構造の構築方法において、前記内側ピースと前記外側ピースとの間に生コンクリートを打設する前に複数のジャッキを当該間に配置して当該内側ピースと当該外側ピースとの位置決めを行う。
【００３０】
第９の態様に係る鉄塔基礎構造の構築方法によれば、内側ピースと外側ピースとの間に生コンクリートを打設する前に、複数のジャッキを内側ピースと外側ピースとの間に配置して、当該内側ピースと当該外側ピースとの位置決めを行う。このため、内側ピースと外側ピースとの間に生コンクリートを打設するときに、内側ピースと外側ピースとの相対位置関係が変化することを抑制することができる。
【発明の効果】
【００３１】
以上説明したように、本発明に係る鉄塔基礎構造及びその構築方法は、鉄塔の鉄骨脚部の位置決め作業を簡略化することができるという優れた効果を有する。
【図面の簡単な説明】
【００３２】
【図１】第１実施形態に係る鉄塔基礎構造の構成を示す断面図である。
【図２】第１実施形態に係る鉄塔基礎構造の構成を示す平面図である。
【図３】第１実施形態に係る鉄塔基礎構造の内側ピースの構成を示す斜視図である。
【図４】第１実施形態に係る鉄塔基礎構造の脚材の構成を示す斜視図である。
【図５】第１実施形態に係る鉄塔基礎構造の外側ピースの構成を示しており、（Ａ）は外側ピースの斜視図であり、（Ｂ）は（Ａ）の５Ｂ−５Ｂ線に沿って切断した状態を示す断面図である。
【図６】第１実施形態に係る鉄塔基礎構造が適用された鉄塔の構成を模式的に示す側面図である。
【図７】第１実施形態に係る鉄塔基礎構造の構築方法の各工程を示しており、（Ａ）は第１工程を示しており、（Ｂ）は第２工程を示しており、（Ｃ）は第３工程を示しており、（Ｄ）は第４工程を示している。
【図８】第２実施形態に係る鉄塔基礎構造の構成を示す側面図である。
【図９】第２実施形態に係る鉄塔基礎構造の構成を示す平面図である。
【発明を実施するための形態】
【００３３】
以下、図１〜図７を用いて、本発明に係る鉄塔基礎構造及びその構築方法の第１実施形態について説明する。
【００３４】
図６に示されるように、本実施形態に係る鉄塔基礎構造が適用された「鉄塔１０」は、平地に建設されていると共に、複数の主柱材１２、複数の水平材１３、複数の斜材１４及び主柱材１２と斜材１４とに架け渡された複数の主柱材用補助材１５を含んで構成されており、４本の「鉄骨脚部１６」を備えている。そして、鉄塔１０の基礎部１７に本実施形態に係る鉄塔基礎構造が適用されている。なお、以下では、特にことわりのない限り、鉄塔１０の高さ方向を単に高さ方向と称することとする。
【００３５】
図１に示されるように、基礎部１７は、鉄骨脚部１６の一部を構成する「脚材１８」を「設置地盤２０」に対して支持しており、「杭２２」、「内側ピース２４」、「外側ピース２６」、「ジャッキ２８」及び「介在部３０」を含んで構成されている。
【００３６】
杭２２は、設置地盤２０に埋設されており、コンクリートで構成された高さ方向に延びる円柱状の本体部３２と、主な部分が本体部３２に埋設されると共に高さ方向に延びる複数の杭主筋３４とを含んで構成されている。なお、杭主筋３４は、図２にも示されるように、高さ方向から見て杭２２の軸心を中心とする円周上に配置されている。また、杭２２の「杭頭部２２Ａ」には、モルタルによって杭頭処理が施されており、その設置面としての「上面２２Ａ１」は、均されて平面状とされている。
【００３７】
内側ピース２４は、脚材１８の「一端部１８Ａ」と一体的に設けられて杭２２の上面２２Ａ１上に載置されている。この内側ピース２４は、プレキャストコンクリート製とされており、図３にも示されるように、高さ方向に延びる角柱状に構成されている。
【００３８】
より詳しくは、内側ピース２４は、高さ方向から見て正方形の四隅が二等辺三角形状に切り取られた八角形状とされていると共に、その「外周面２４Ａ」には、複数の「凹部３６」が設けられている。この凹部３６は、高さ方向から見て外周面２４Ａの周方向に沿う環状に形成されており、高さ方向に複数（本実施形態では、一例として３つ）配置されている。なお、図２に示されるように、内側ピース２４は、高さ方向から見て杭主筋３４が配置される上記円周の内側に配置されている。
【００３９】
一方、脚材１８は、図４にも示されるように、山形鋼で構成された「延在部３８」と、平型鋼で構成された「基部４０」とが、溶接等による図示しない接合部で接合されることで構成されている。より詳しくは、延在部３８は、図１にも示されるように、高さ方向下側の部分が内側ピース２４に埋設されており、高さ方向上側の部分が内側ピース２４から露出されて鉄塔１０の上方側に延びている。なお、延在部３８と基部４０との相対位置関係は、脚材１８の設置位置と鉄塔１０の構成との相関関係等に基づいて脚材１８の製造時に設定されている。
【００４０】
基部４０は、高さ方向から見て矩形の板状とされていると共に、その上面の四隅にはそれぞれウエルドナット４２が配置されている。これらのウエルドナット４２は、内側ピース２４の製造時において、生コンクリートが流し込まれる型枠と脚材１８との固定に用いられる。なお、基部４０は、内側ピース２４の下面側に露出された状態となっており、基部４０の下面は、杭２２の上面２２Ａ１と当接された状態となっている。また、必要に応じて、延在部３８と基部４０との接合部に、当該接合部を補剛する三角形板状の補剛材４３（図４の二点鎖線部分）を溶接等による接合部で接合してもよい。
【００４１】
外側ピース２６は、プレキャストコンクリート製とされており、図５（Ａ）にも示されるように、軸方向を高さ方向とされた円筒状に構成されている。また、図５（Ｂ）に示されるように、外側ピース２６の内部には、高さ方向から見て円環状に延びるフープ筋４４が、高さ方向に複数配置されている。これにより、外側ピース２６は、その内周側からの圧力を支持することが可能とされている。なお、フープ筋４４は、スパイラル筋とされていてもよい。
【００４２】
さらに、図１にも示されるように、外側ピース２６の「内周面２６Ａ」には、複数の「凹部４６」が設けられている。この凹部４６は、高さ方向から見て内周面２６Ａの周方向に沿う環状に形成されており、高さ方向に複数（本実施形態では、一例として２つ）配置されている。
【００４３】
そして、外側ピース２６は、高さ方向から見て杭主筋３４を囲うように内側ピース２４の外周側に内側ピース２４の外周面２４Ａと間隔をあけて配置されると共に、高さ方向に複数（本実施形態では、一例として２つ）連なって配置されている。
【００４４】
ジャッキ２８は、最も下方側に配置された外側ピース２６において、外側ピース２６の内周面２６Ａと内側ピース２４の外周面２４Ａとの間に外側ピース２６の周方向に所定の間隔で複数配置されている。
【００４５】
これらのジャッキ２８は、内側ピース２４及び外側ピース２６を押圧している状態で配置されると共に、内側ピース２４と外側ピース２６との相対位置関係が変化しないように、互いの押圧力を支持可能な位置に配置されている。
【００４６】
介在部３０は、内側ピース２４と外側ピース２６との間にコンクリートが充填されることで構成されており、内側ピース２４及び外側ピース２６と密着状態とされている。
【００４７】
また、内側ピース２４の凹部３６及び外側ピース２６の凹部４６にコンクリートが充填されることで、介在部３０の外側ピース２６側及び内側ピース２４側には、突起部４８が形成された状態となっている。なお、図２には、杭２２等の構成を理解し易くするため、介在部３０を図示していない。
【００４８】
（本実施形態の作用及び効果）
次に、本実施形態の作用並びに効果を説明する。
【００４９】
本実施形態では、図１に示されるように、内側ピース２４が、鉄塔１０の鉄骨脚部１６の一部を構成する脚材１８の一端部１８Ａと一体的に設けられている。
【００５０】
ところで、鉄骨脚部１６の設置時において、脚材１８を位置決めした後に脚材１８の周辺にコンクリートを打設するような構成を採用する場合、コンクリートの打設時やコンクリートの養生時において脚材１８の位置を一定にしておく必要があるため、脚材１８の位置決め作業が煩雑なものとなる。
【００５１】
ここで、本実施形態では、内側ピース２４がプレキャストコンクリート製とされていると共に、内側ピース２４が均された杭２２の上面２２Ａ１上に配置されているため、内側ピース２４を上面２２Ａ１上に配置することで脚材１８の位置決めを行うことができる。
【００５２】
また、本実施形態では、鉄塔１０の設置地盤２０に杭２２が埋設されており、杭２２の杭頭部２２Ａには、杭頭処理が施されている。そして、杭頭部２２Ａの上面２２Ａ１には、内側ピース２４が配置されている。このため、設置地盤２０が不安定な地盤であっても、安定した状態で鉄骨脚部１６を支持することができる。
【００５３】
また、本実施形態では、内側ピース２４の外周側には、内側ピース２４の外周面２４Ａと間隔をあけて外側ピース２６が配置されている。そして、内側ピース２４と外側ピース２６との間には、内側ピース２４及び外側ピース２６と密着状態で設けられたコンクリート製の介在部３０が介在している。
【００５４】
このため、鉄塔１０に懸架された電線等に起因する引き上げ荷重等が脚材１８を介して内側ピース２４に伝達すると、内側ピース２４側から外側ピース２６側に介在部３０を介して圧力が作用することとなる。そして、この圧力は、外側ピース２６によって支持することができるため、本実施形態では、鉄塔１０を安定した状態で支持することができる。
【００５５】
ところで、脚材１８に引き上げ荷重が作用している状態では、杭主筋３４から内側ピース２４及び外側ピース２６に介在部３０を介して圧力が作用することとなる。ここで、本実施形態では、この圧力を内側ピース２４及び外側ピース２６によって支持することができるため、鉄塔１０と杭２２とを安定した状態で接合することができる。
【００５６】
また、本実施形態では、複数のジャッキ２８によって内側ピース２４と外側ピース２６との相対移動を規制して、脚材１８の位置決めの精度をより高めることができる。
【００５７】
また、本実施形態では、外側ピース２６がプレキャストコンクリート製とされているため、外側ピース２６を鋼材等で構成するような構成に比し、外側ピース２６の腐食対策に係る作業を省略し、外側ピース２６の設置作業を簡略化することができる。
【００５８】
また、本実施形態では、内側ピース２４の外周面２４Ａ及び外側ピース２６の内周面２６Ａに介在部３０を構成するコンクリートが充填された凹部３６、４６が設けられている。つまり、介在部３０は、内側ピース２４側に突出した突起部４８と外側ピース２６側に突出した突起部４８とが設けられた状態となっている。このため、内側ピース２４と外側ピース２６とが相対移動しようとするときに介在部３０に作用するせん断力を、介在部３０に設けられたこれらの突起部４８によって支持することができる。
【００５９】
次に、図７を用いて、本実施形態に係る鉄塔基礎構造の構築方法の手順の一例を示す。
【００６０】
最初に、図７（Ａ）に示される第１工程において、設置地盤２０に杭２２を構築すると共に、杭２２の杭頭部２２Ａにモルタル５０によって杭頭処理を施し、杭頭部２２Ａの上面２２Ａ１を均して平面とする。
【００６１】
次に、図７（Ｂ）に示される第２工程において、杭２２の上面２２Ａ１に内側ピース２４を載置すると共に、脚材１８が所定の位置に配置されるように内側ピース２４を位置決めする。そして、内側ピース２４の外周側に内側ピース２４の外周面２４Ａと間隔をあけて下段側の外側ピース２６を配置すると共に、ジャッキ２８で内側ピース２４と外側ピース２６との位置決めを行って、内側ピース２４と外側ピース２６との相対移動を規制する。
【００６２】
次に、図７（Ｃ）に示される第３工程において、上段側の外側ピース２６を下段側の外側ピース２６の上に配置すると共に、内側ピース２４と外側ピース２６との間にコンクリートを充填して介在部３０を形成し、介在部３０の地表露出部を養生する。
【００６３】
次に、図７（Ｄ）に示される第４工程において、外側ピース２６の周辺部に掘削土５２を埋め戻すことで鉄塔１０の基礎部１７が完成する。
【００６４】
以上、説明したように、本実施形態に係る鉄塔基礎構造及びその構築方法によれば、鉄塔１０の鉄骨脚部１６の位置決め作業を簡略化することができる。
【００６５】
＜第２実施形態＞
以下、図８及び図９を用いて、本発明の第２実施形態に係る鉄塔基礎構造について説明する。なお、上述した第１実施形態と同一構成部分については同一番号を付してその説明を省略する。
【００６６】
本実施形態では、一例として、山岳地等の硬い地盤上に建設される鉄塔１０に本実施形態に係る鉄塔基礎構造が適用されている。具体的には、本実施形態では、脚材１８にいかり材６０が設けられており、いかり材６０は、内側ピース２４に埋設されている。なお、内側ピース２４は、「設置地盤６２」が均された「設置面６２Ａ」上に配置されている。
【００６７】
また、内側ピース２４からは、複数の鉄筋６４が延出されており、外周面２４Ａから延出された鉄筋６４の周辺には、複数の鉄筋６６が配筋されている。そして、鉄筋６４、６６の周辺にコンクリートが打設されることで、床板部６８Ａと柱体部６８Ｂとを備えると共に、内側ピース２４が内蔵された逆Ｔ字基礎６８が構築されている。
【００６８】
このような構成によっても脚材１８の位置決めを容易に行うことができ、鉄塔１０の鉄骨脚部１６の位置決め作業を簡略化することが可能である。
【００６９】
また、内側ピース２４の凹部３６に充填されたコンクリートによって床板部６８Ａにおける内側ピース２４との境界部には、突起部７０が設けられた状態となるため、引き上げ荷重等が脚材１８を介して内側ピース２４に伝達しても、当該引き上げ荷重を突起部７０で支持することができる。
【００７０】
＜上記実施形態の補足説明＞
（１）  上述した実施形態では、脚材１８の延在部３８が山形鋼で構成されていたが、鉄塔１０の構成等に応じて、延在部３８が円筒状のパイプ材等山形鋼以外の部材で構成されていてもよい。
【００７１】
（２）  また、上述した第１実施形態では、設置地盤２０に杭２２が埋設されていたが、鉄塔１０を硬い地盤に建設する場合には、地盤に杭２２が埋設されていなくてもよい。また、上述した第２実施形態に係る鉄塔基礎構造を、柔らかい地盤に建設される鉄塔１０に採用する場合には、杭２２が地盤に埋設されていてもよい。
【００７２】
（３）  さらに、上述した第１実施形態では、外側ピース２６がプレキャストコンクリート製とされていたが、鉄塔１０の仕様等に応じて外側ピース２６が円筒状の鋼材で構成されていてもよい。
【符号の説明】
【００７３】
１０      鉄塔
１６      鉄骨脚部
１８      脚材
１８Ａ    一端部
２０      設置地盤
２２      杭
２２Ａ    杭頭部
２２Ａ１  上面（設置面）
２４      内側ピース
２４Ａ    外周面
２６      外側ピース
２６Ａ    内周面
２８      ジャッキ
３０      介在部
３６      凹部
３８      延在部
４０      基部
４６      凹部
６２      設置地盤
６２Ａ    設置面
【図１】
2020094457.tif 000003
【図２】
2020094457.tif 000004
【図３】
2020094457.tif 000005
【図４】
2020094457.tif 000006
【図５】
2020094457.tif 000007
【図６】
2020094457.tif 000008
【図７】
2020094457.tif 000009
【図８】
2020094457.tif 000010
【図９】
2020094457.tif 000011
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
鉄塔の鉄骨脚部の一部を構成する脚材と、
前記脚材の一端部と一体的に設けられると共に、均された設置面上に配置されたプレキャストコンクリート製の内側ピースと、
前記内側ピースの外周側に当該内側ピースの外周面と間隔をあけて配置されると共に、当該内側ピース側からの圧力を支持可能な外側ピースと、
前記内側ピースと前記外側ピースとの間に介在し、かつ当該内側ピース及び当該外側ピースに密着状態で設けられたコンクリート製の介在部と、
を有する鉄塔基礎構造。
【請求項２】
鉄塔の鉄骨脚部の一部を構成する脚材と、
前記脚材の一端部と一体的に設けられると共に、均された設置面上に配置されたプレキャストコンクリート製の内側ピースと、
を有し、
前記脚材は、前記内側ピースから露出されて鉄塔上方側に延びる延在部と、当該延在部における当該内側ピース側の端部に設けられると共に内側ピースの下面側に露出された平板状の基部と、を含んで構成されている、
鉄塔基礎構造。
【請求項３】
前記内側ピースの外周側に当該内側ピースの外周面と間隔をあけて配置されると共に、当該内側ピース側からの圧力を支持可能な外側ピースと、
前記内側ピースと前記外側ピースとの間に介在し、かつ当該内側ピース及び当該外側ピースに密着状態で設けられたコンクリート製の介在部と、
をさらに有する、
請求項２に記載の鉄塔基礎構造。
【請求項４】
前記外周面と前記外側ピースの内周面との間に互いの押圧力を支持可能に配置された複数のジャッキをさらに備える、
請求項１又は請求項３に記載の鉄塔基礎構造。
【請求項５】
前記外側ピースは、プレキャストコンクリート製とされている、
請求項１、請求項３及び請求項４の何れか１項に記載の鉄塔基礎構造。
【請求項６】
前記外周面及び前記外側ピースの内周面には、前記コンクリートが充填された凹部が設けられている、
請求項５に記載の鉄塔基礎構造。
【請求項７】
平らな設置面を形成し、
鉄塔の鉄骨脚部の一部を構成する脚材の一端部と一体に設けられたプレキャストコンクリート製の内側ピースを前記設置面に載置し、
前記内側ピースの外周側に当該内側ピースの外周面と間隔をあけて内周側からの圧力を支持可能な外側ピースを配置し、
前記内側ピースと前記外側ピースとの間に生コンクリートを打設する、
鉄塔基礎構造の構築方法。
【請求項８】
前記内側ピースと前記外側ピースとの間に生コンクリートを打設する前に複数のジャッキを当該間に配置して当該内側ピースと当該外側ピースとの位置決めを行う、
請求項７に記載の鉄塔基礎構造の構築方法。